(57)【要約】【課題】    複数の筒から噴出する火煙が一体となってハート形の火煙を形成する玩具花火を提供する。【解決手段】  花火玩具１は、基部２と、基部２に対して傾斜し貫通する第１中心軸線Ｍ１を有し、基部２に傾斜し貫設される第１筒３と、第１中心軸線Ｍ１とねじれの位置にあるとともに基部２に対して傾斜し貫通する第２中心軸線Ｍ２を有し、基部２に傾斜し貫設される第２筒４と、を備え、基部２の第１方向Ｘにおいて、第１筒３の第１噴出中心点Ｃ１と、第２筒４の第２噴出中心点Ｃ２が第１距離Ｌ１以内に配置され、基部２の第１方向Ｘと直交する第２方向Ｙにおいて、第１筒３の第１噴出中心点Ｃ１と、第２筒４の第２噴出中心点Ｃ２が第２距離Ｌ２を設けて配置される。【選択図】  図１
2020016377.tif 000002
【特許請求の範囲】
【請求項１】
基部と、
前記基部に対して傾斜し貫通する第１中心軸線を有し、前記基部に貫設される第１筒と、
前記第１中心軸線とねじれの位置にあるとともに前記基部に対して傾斜し貫通する第２中心軸線を有し、前記基部に貫設される第２筒と、を備えることを特徴とする玩具花火。
【請求項２】
前記第１中心軸線と第２中心軸線とが平面視で平行であることを特徴とする請求項１の玩具花火。
【請求項３】
前記第１中心軸線と第２中心軸線とが平面視で一定角度をなすことを特徴とする請求項１の玩具花火。
【請求項４】
前記基部は、
前記第１筒を支持するための第１開口部、及び前記第２筒を支持するための第２開口部が設けられた上板と、
前記上板よりも下方に設けられ、前記第１筒を支持するための第３開口部、及び前記第２筒を支持するための第４開口部が設けられた下板と、
前記上板と前記下板を側方で支持する側板と、
を備えたことを特徴とする請求項１乃至３いずれか１項の玩具花火。
【請求項５】
前記上板と、前記下板と、前記側板とが一体に構成される請求項４の玩具花火。
【請求項６】
前記第１筒、前記第２筒、及び前記基部を収容する容器を備え、
前記容器が扉を有することを特徴とする請求項１乃至５いずれか一項の玩具花火。
【請求項７】
互いにねじれの位置にある前記第１中心軸線と前記第２中心軸線の最短距離が５ｍｍ〜２００ｍｍであることを特徴とする請求項１乃至６いずれか１項の玩具花火。
【請求項８】
前記第１筒から噴出される火煙と前記第２筒から噴出される火煙によって形成されるハート形を正面視する方向から見て、前記第１筒の第１噴出中心点と前記第２筒の第２噴出中心点との距離が１００ｍｍ以下であることを特徴とする請求項１乃至７いずれか１項の玩具花火。
【請求項９】
前記第１中心軸線と前記第２中心軸線とのなす角度が２０度〜１５０度であることを特徴とする請求項１乃至８いずれか１項の玩具花火。
【発明の詳細な説明】
【技術分野】
【０００１】
本発明は、鑑賞性を高める玩具花火に関する。
【背景技術】
【０００２】
玩具花火においては、その鑑賞性を高めるため、複数個の花火の燃焼により、鑑賞性を高める方法が検討されていた。
【０００３】
特許文献１に記載の発明は、複数個の花火が順次効率的に燃焼するようにした玩具花火が開示されている。特許文献２に記載の発明は、複数個の固形燃焼材を仕掛け花火のようにセットして連続的に着火燃焼させる炎色鑑賞花火が開示されている。これらの発明は、いずれも複数個の花火又は燃焼材が効率的、連続的に燃焼することにより、経済的で、鑑賞性に優れた玩具花火を提供できるとする。
【先行技術文献】
【特許文献】
【０００４】
【特許文献１】特許第３９５７５２４号公報
【特許文献２】特公平６−３３９９３号公報
【発明の概要】
【発明が解決しようとする課題】
【０００５】
しかしながら、特許文献１及び特許文献２の玩具花火では、複数個の花火であっても、それぞれの花火から噴出する火煙の形状はそれぞれの花火からの火煙が独立して出現するにとどまり、複数の花火から噴出する火煙が一体となって形状を形成するものではなかった。
【０００６】
従来の筒状の玩具花火は、筒の設置角度は地面に対して垂直になるよう配置されるものであったため、筒から噴出する火煙の数も筒の数だけ独立して出現し、複数の筒から噴出する火煙の形態が単調であり、鑑賞性が不十分であった。
【０００７】
そこで、本開示は、複数の筒から噴出する火煙が一体となってハート形の火煙を形成する玩具花火を提供することを課題とする。
【課題を解決するための手段】
【０００８】
上記課題を解決するために、請求項１に記載の発明は、基部と、前記基部に対して傾斜し貫通する第１中心軸線を有し、前記基部に貫設される第１筒と、前記第１中心軸線とねじれの位置にあるとともに前記基部に対して傾斜し貫通する第２中心軸線を有し、前記基部に貫設される第２筒と、を備えることを特徴とする玩具花火である。
【０００９】
「基部」は、平面視で、角形、丸形でもよく、適宜の形状を採用できる。  「第１中心軸線」と「第２中心軸線」は、第１筒と第２筒の長手方向の中心軸である。  「第１筒」及び「第２筒」の形状、長さ、材質等は適宜採択可能である。例えば、筒の形状は円筒が好ましいが、三角筒、四角筒を始めとする多角筒であってもよい。筒の直径は５〜１００ｍｍ、長さは１０〜１００ｍｍが例示できる。材質は紙が好ましいが、それ以外のものであってもよい。「第１筒」及び「第２筒」の構造は、例えば、前記第１筒及び第２筒の下部を底止めパッキンで閉塞した筒内に第１火薬及び第２火薬をそれぞれ充填し、筒の外方より前記第１火薬と第２火薬に達する導火線と、蓋を取り付け、前記蓋の中心に噴出口を設け点火薬を設ける。これにより前記導火線に点火したときに筒内の前記点火薬から前記第１火薬と第２火薬に迅速に延焼することで、前記第１筒及び第２筒の噴出口から、前記第１中心軸線及び第２中心軸線の方向に、火煙が噴射する。
【００１０】
請求項２に記載の発明は、請求項１に記載の発明において、前記第１中心軸線と第２中心軸線とが平面視で平行であることを特徴とする。
【００１１】
請求項３に記載の発明は、請求項１に記載の発明において、前記第１中心軸線と第２中心軸線とが平面視で一定角度をなすことを特徴とする。
【００１２】
「一定角度」は、３０〜１８０°の範囲から選択することが例示される。
【００１３】
請求項４に記載の発明は、請求項１乃至３いずれか一項に記載の発明において、前記基部は、前記第１筒を支持するための第１開口部、及び前記第２筒を支持するための第２開口部が設けられた上板と、前記上板よりも下方に設けられ、前記第１筒を支持するための第３開口部、及び前記第２筒を支持するための第４開口部が設けられた下板と、前記上板と前記下板を側方で支持する側板と、を備えたことを特徴とする。
【００１４】
請求項５に記載の発明は、請求項４に記載の発明において、前記上板と、前記下板と、前記側板とが一体に構成されることを特徴とする。
【００１５】
例えば、前記基部は、１枚の板部材から組み立てが可能である。上板の第１開口部側の縁部付近で板部材を下方に折り曲げて基部の前記第１筒部側の側板を形成し、当該側板を除いた余部を内側に折り曲げて下板を形成し、下板の第４開口部側の縁部付近で上方に折り曲げて基部  の第２筒部側の側板とする。板部材の材質は紙が好ましいが、それ以外のものであってもよい。
【００１６】
請求項６に記載の発明は、請求項１乃至５いずれか一項に記載の発明において、前記第１筒、前記第２筒、及び前記基部を収容する容器を備え、前記容器が扉を有することを特徴とする。
【００１７】
前記容器は、縦１０〜３００ｍｍ、横１０〜３００ｍｍ、高さ１０〜３００ｍｍが例示できる。
【００１８】
請求項７に記載の発明は、請求項１乃至６いずれか一項に記載の発明において、互いにねじれの位置にある前記第１中心軸線と前記第２中心軸線の最短距離が５ｍｍ〜２００ｍｍであることを特徴とする。
【００１９】
請求項８に記載の発明は、請求項１乃至７いずれか一項に記載の発明において、前記第１筒から噴出される火煙と前記第２筒から噴出される火煙によって形成されるハート形を正面視する方向から見て、前記第１筒の第１噴出中心点と前記第２筒の第２噴出中心点との距離が１００ｍｍ以下であることを特徴とする。
【００２０】
第１噴出中心点、第２噴出中心点は、それぞれ、第１筒、第２筒の筒外に出る火煙の基部（最下部）の中心となる点である。
【００２１】
請求項９に記載の発明は、請求項１乃至８いずれか一項に記載の発明において、前記第１中心軸線と前記第２中心軸線とのなす角度が２０度〜１５０度であることを特徴とする。
【発明の効果】
【００２２】
請求項１の発明によれば、第１中心軸線と第２中心軸線がねじれの位置にあるので、２つの筒の噴出中心点を近づけても噴出する火煙どうしが衝突することがない。このため、玩具花火の２つの筒から噴出する火煙の衝突を防ぎつつ、２つの筒の噴出中心点を近づけることができるので、２つの筒の噴出中心点から広がった火煙全体の形状を、ハート形の最下部が広がらず１点近傍に集中したハート形に見せることができるので、鑑賞性が向上する。
【００２３】
請求項２の発明によれば、水平方向から形のよいハート形の花火を鑑賞できる。
【００２４】
請求項３の発明によれば、一定角度を調整することで、様々な角度から、火煙をハート形に見せることが可能である。
【００２５】
請求項４の発明によれば、基部の上板及び下板に設けられた第１開口部及び第３開口部に挿通する第１筒と、第２開口部及び第４開口部に挿通する第２筒とを好ましい位置と方向で安定して固定することができる。
【００２６】
請求項５の発明によれば、基部は、１枚の板部材から組み立てが可能であるため、安価に形成でき、複数回折り曲げて複層構造に形成できることで、頑丈で安定した花火の支持台を提供できる。
【００２７】
請求項６の発明によれば、玩具花火の２つの筒口から広がった火煙の形状がハート形に見える玩具花火をコンパクトに配置して包装できる。また、上蓋を開扉すれば導火線及び筒の吹き出し口が露出して直ちに使用することができるので、コストダウンを図り、余分な包装を避けることができる点で、環境にも優しい。
【００２８】
請求項７の発明によれば、互いにねじれの位置にある前記第１中心軸線と前記第２中心軸線の最短距離を５ｍｍ〜２００ｍｍにすることにより、噴出口からの火煙が衝突することを防止しつつ、ハート形の正面視から多少ずれた角度からであっても形のよいハート形を鑑賞できる。
【００２９】
請求項８の発明によれば、ハート形を正面視する方向から見て、前記第１筒の第１噴出中心点と前記第２筒の第２噴出中心点との距離を１００ｍｍ以下にすることにより、２つの火煙の基部（ハート形の最下部）が離れすぎることを防止できる。
【００３０】
請求項９の発明によれば、形のよいハート形を形成することができる。
【図面の簡単な説明】
【００３１】
【図１】本発明の実施形態の玩具花火を示す斜視図である。
【図２】本発明の実施形態の玩具花火（容器を除く）の表側からの斜視図である。
【図３】本発明の実施形態の玩具花火（容器を除く）の裏側からの斜視図である。
【図４】本発明の実施形態の玩具花火の内部を示す正面図である。
【図５】本発明の実施形態の玩具花火の平面図である。
【図６】本発明の実施形態の玩具花火に係る第１筒又は第２筒の縦断面図である。
【図７】本発明の実施形態の玩具花火の右側面からの透視図である。
【図８】本発明の実施形態の変更形態１の平面図である。
【図９】本発明の実施形態の変更形態２の平面図である。
【発明を実施するための形態】
【００３２】
以下、本発明の好ましい実施形態について図面を参照して説明する。
【００３３】
玩具花火１は、図１〜図５に示す通り、基部２と、基部２に対して正面視で傾斜し貫通する第１中心軸線Ｍ１を有し、基部２に傾斜し貫設される第１筒３と、第１中心軸線Ｍ１とねじれの位置にあるとともに正面視で基部２に対して傾斜し貫通する第２中心軸線Ｍ２を有し、基部２に傾斜し貫設される第２筒４と、を備えている。花火に点火すると、第１筒３から噴出される火煙と第２筒４から噴出される火煙とが組み合わさることにより、ハート形の火煙が形成される。以下、各構成を詳細に説明する。
【００３４】
図５に示す通り、基部２は、平面視で、長方形状である。平面視での基部２の長手方向及び短手方向を、それぞれ、第１方向Ｘ及び第２方向Ｙとする。
【００３５】
平面視において第１中心軸線Ｍ１及び第２中心軸線Ｍ２は、互いに平行であり、また、いずれも第１方向Xと同方向である。基部２の第１方向Ｘにおいて、第１筒３の第１噴出中心点Ｃ１と、第２筒４の第２噴出中心点Ｃ２が第１距離Ｌ１以内に配置され、基部２の第１方向Ｘと直交する第２方向Ｙにおいて、第１筒３の第１噴出中心点Ｃ１と、第２筒４の第２噴出中心点Ｃ２が第２距離Ｌ２を設けて配置される。第１、第２噴出中心点Ｃ１、Ｃ２は、筒外に出る火煙の基部（最下部）の中心となる点であり、本実施形態においては、それぞれ、第１筒３、第２筒４の上端によって画定される円形平面と第１中心軸線Ｍ１、第２中心軸線Ｍ２との交わる点である。第１距離Ｌ１は、互いにねじれの位置にある第１中心軸線Ｍ１と第２中心軸線Ｍ２の最短距離に等しく、第２距離Ｌ２は、火煙によって形成されるハート形を正面視する方向（本実施形態では、基部２の正面視である図４の方向と同じ）からみた第１筒の第１噴出中心点Ｃ１と第２筒の第２噴出中心点Ｃ２の距離に等しい。また、第１筒３の第１噴出中心点Ｃ１と第２筒４の第２噴出中心点Ｃ２は、いずれも、互いにねじれの位置にある前記第１中心軸線Ｍ１と第２中心軸線Ｍ２の最短距離を与える点よりも下方に位置している。
【００３６】
第１筒３から噴出される火煙と第２筒４から噴出される火煙とは、第２方向Yには第２距離Ｌ２ずれているが、第１方向Xにおいては第１噴出中心点Ｃ１と、第２筒４の第２噴出中心点Ｃ２が第１距離Ｌ１以内に配置されているので、正面視では、第２方向Yの第２距離Ｌ２のずれが見えず、正面視では形のよいハート形の火煙が形成されて見える。
【００３７】
図２、図３に示す通り、基部２が、上面２０aと、第１筒３を支持するための第１開口部２３と第２筒４を支持するための第２開口部２４とを設けた上板２０と、上板２０よりも下方に設けられ第１筒３を支持するための第３開口部２５と第２筒４を支持するための第４開口部２６が設けられた下板２１と、上板２０と下板２１を両側方で支持する側板２２を備える。基部２は、上板２０と、下板２１と、側板２２とが一体に構成されるものである。第１開口部２３乃至第４開口部２６は、第１筒３及び第２筒４の外形に適合した開口形状であり、ここでは楕円形に設定され、第１筒３及び第２筒４が各々嵌装される。
【００３８】
基部２により、第１開口部２３及び第３開口部２５に挿通する第１筒３と、第２開口部２４及び第４開口部２６に挿通する第２筒４とを、第１中心軸線Ｍ１及び第２中心軸線Ｍ２に安定して固定する構造である。
【００３９】
基部２は、１枚の板部材から組み立てが可能である。上板２０の第１開口部２３側の縁部付近で板部材を下方に折り曲げて、基部２の第１筒３側の側板２２を構成し、側板を除いた余部を内側に折り曲げて下板２１とし、下板２１の第４開口部２６の縁部付近で上方に折り曲げて基部２の第２筒４側の側板２２を構成するものである。
【００４０】
第１筒３及び第２筒４の形状、長さ、材質等は適宜採択可能である。筒３、４の形状は円筒である。材質は厚紙であるが、他の材料でもよい。
【００４１】
第１筒３及び第２筒４の上部は第２方向Yにずれているが、図４の基部２の正面視においては、端部が接するように見える。しかし、第１筒３及び第２筒４の上部が正面視で部分的に重複したり、あるいは、互いに離れているように見える場合を含むこともできる。
【００４２】
第１筒３及び第２筒４の形状、長さ、材質等は適宜採択可能であり、例えば、筒の形状は円筒が好ましいが、三角筒、四角筒を始めとする多角筒であってもよい。第１筒３及び第２筒４の外径Ｒ２は５〜１００ｍｍ、好ましくは１０〜７５ｍｍ、特に好ましくは１５〜５０ｍｍ、第１筒３及び第２筒４の内径Ｒ１は外径Ｒ２から筒の厚みを減じた数値である。第１筒３及び第２筒４の材質は紙が好ましいが、それ以外のものであってもよい。
【００４３】
基部２の平面視（図５参照）において、第１筒３及び第２筒４の第１中心軸線Ｍ１及び第２中心軸線Ｍ２は互いに平行であって、基部２の正面視（図４参照）において、第１筒３の第１中心軸線Ｍ１と、第１中心軸線Ｍ１と交差する第２筒４の第２中心軸線Ｍ２とがなす角度θは２０〜１５０度、好ましくは４０〜１１０度、特に好ましくは６０〜８０度が例示できる。角度θは、互いにねじれの位置にある第１中心軸線Ｍ１と第２中心軸線Ｍ２のなす角度に等しい。
【００４４】
第１、第２噴出中心点Ｃ１、Ｃ２を第１距離Ｌ１の間隔以内で配置することにより、玩具花火の第１、第２噴出中心点Ｃ１、Ｃ２からの火煙の基部が離れすぎることを防止して、ハート形の花火の全体形状が適切に構成される。第１距離Ｌ１は０〜１００ｍｍ、好ましくは０〜８０ｍｍ、特に好ましくは０〜５０ｍｍが例示できる。
【００４５】
第１中心軸線Ｍ１と第２中心軸線Ｍ２がねじれの位置にあり、最短距離が第２距離Ｌ２になるように配置することにより、玩具花火の第１、第２噴出中心点Ｃ１、Ｃ２からの火煙が互いに衝突することを回避できるとともに、ハート形の正面視から多少ずれた角度からであっても形のよいハート形を鑑賞できる。第２距離Ｌ２は５〜２００ｍｍ、好ましくは１０〜１００ｍｍ、特に好ましくは１５〜５０ｍｍが例示できる。
【００４６】
図５に示す通り、基部２と第１筒３及び第２筒４の接合部の強度を高め、基部２自体の強度を高めるため、接合部に接着剤Ｓを塗布している。
【００４７】
玩具花火１の容器３０は、角形のケース３１と、ケース３１と連結して開閉可能な扉３２とを有するものである。容器３０は基部２、第１筒３、及び第２筒４を収容する直方体の形状である。したがって、図１に示す通り、容器３０は、第１筒３及び第２筒４の高さより高く、基部２の第１方向Ｘ及び第２方向Ｙの長さより長く設定される。容器３０の一端を扉３２で開くときに第１筒３及び第２筒４の蓋８ａ、８ｂが外部に露出するように設定する。
【００４８】
図６に示す通り、第１筒３及び第２筒４は、下部を底止めパッキン６ａ、６ｂで閉塞した筒内にそれぞれ第１火薬７ａ及び第２火薬７ｂを充填し、蓋８ａ、８ｂには筒の外方より筒内の第１火薬７ａ及び第２火薬７ｂに達する導火線５を取り付け、導火線５の基部と、第１火薬７ａ及び第２火薬７ｂとを接続する部分に点火薬９ａ、９ｂを設ける。これにより導火線５に点火したときに点火薬９ａ、９ｂを介して第１火薬７ａ及び第２火薬７ｂが迅速に燃焼する。
【００４９】
第１筒３及び第２筒４の噴出口８ｃ、８ｄから噴出する火煙は、図１、図４に示す通り、第１筒３が第１中心軸線Ｍ１に傾斜させて配置され、第２筒４が第１中心軸線Ｍ１とねじれの位置にある第２中心軸線Ｍ２に傾斜させて配置されていることから、第１筒３、第２筒４の噴出口８ｃ、８ｄから、第１中心軸線Ｍ１及び第２中心軸線Ｍ２の方向に煙火が噴射される。
【００５０】
第１火薬７ａ及び第２火薬７ｂは、硝酸カリウム、硫黄、木粉などからなり、安全上の観点から合わせて１５グラム以下が好ましい。第１火薬７ａ及び第２火薬７ｂの成分は、第１筒３、第２筒４ともに同じ配合であってもよく、異なる配合であってもよい。異なる配合の場合、ハート形の火煙の左右の色が異なる火煙の配色で鑑賞できる。
【実施例１】
【００５１】
第１距離Ｌ１＝３５ｍｍ、第２距離Ｌ２＝２５ｍｍ、第１筒３及び第２筒４の長さＬ３＝５０ｍｍ、第１筒３及び第２筒４の内径Ｒ１＝２１ｍｍ、第１筒３及び第２筒４の外径Ｒ２＝２５ｍｍ、第１中心軸線Ｍ１と、第２中心軸線Ｍ２とがなす角度θ＝７０°に設定されている。第１火薬７ａ及び第２火薬７ｂの重量は各７．３ｇで合計１４．６ｇである。容器３０の寸法は縦×横×高さが６０ｍｍ×１５０ｍｍ×６０ｍｍである。筒の先から左右斜め上方へ約２メートル火煙が噴出し、銀色や錦色の火花がハート形に形成される。
【００５２】
以下、実施形態の玩具花火の使用方法と作用効果の一例について図面を参照し具体的に説明する。
【００５３】
図１に示すように、玩具花火１を地面に置き、容器３０の上部の扉３２を開扉すれば、第１筒３及び第２筒４の噴出口８ｃ、８ｄから導出する導火線５が外部に露出する。結束された導火線５の端末に着火すると、図１及び図２に示す通り、第１筒３及び第２筒４からそれぞれ導出する導火線５は、長さを点火薬９ａ、９ｂからの距離が等しくなるようにして、着火部分の付近を結束するので、第１筒３及び第２筒４への着火が容易かつ円滑になり、着火後に花火から十分な距離を保つことができることで、安心して花火を楽しむことができる。
【００５４】
火煙が噴出される方向の互いにねじれの関係にある第１中心軸線Ｍ１と第２中心軸線Ｍ２との間に第２距離Ｌ２を置いていることにより火煙の衝突を防ぎつつ、ハート形の正面の方向（本実施形態では図４の基部２の正面視と同じ）から見た第１、第２噴出中心点Ｃ１、Ｃ２間の距離を第１距離Ｌ１以下とすることにより、ハート形の正面の方向から見ると、２つの噴出中心点Ｃ１、Ｃ２から噴出する火煙があたかも一箇所から噴出して広がったかのように、火煙全体の形状が美しいハート形に見え、玩具花火１の鑑賞性を高めることができる。
【００５５】
扉３２を開ければ導火線５及び第１筒３、第２筒４の噴出口８ｃ、８ｄが露出して直ちに使用することができるので、余分な包装を避けることができる点で、環境に優しい。
【００５６】
第１筒３、第２筒４、基部２に使用される構造や部材は採択が容易なものであり、経済的に製作できるため、消費者に安価に提供できる。
【００５７】
基部２は、１枚の板部材から組み立てが可能であるため、安価に形成でき、複数回折り曲げて複層構造に形成できることで、頑丈で安定した花火の支持台を提供できる。
【００５８】
玩具花火１の２つの筒３，４に充填される火薬の配合を変えることで、様々な火色のハート形の火煙を楽しむことができ、玩具花火１の鑑賞性が高まる。
【００５９】
図８、図９の変更形態１、２の玩具花火１を説明する。前記の実施形態では第１中心軸線Ｍ１と第２中心軸線Ｍ２とが平面視で平行であり、第１方向Ｘに対しても平行であったが、第１方向Ｘに対して０〜９０°の範囲で、それぞれ、第１中心軸線Ｍ１と第２中心軸線Ｍ２の平面視での方向を適宜設定可能である。
【００６０】
図８に示す変更形態１は、第１中心軸線Ｍ１と第２中心軸線Ｍ２とが平面視で平行であり、ともに第１方向Xに対して同じ角度回転させたものである。変更形態１においては、基部２の斜め横方向がハート形の正面になり、基部２の斜め横方向から花火を鑑賞できる。
【００６１】
図９に示す変更形態２は、第１中心軸線Ｍ１と第２中心軸線Ｍ２とが平面視で平行ではなく互いに一定角度をなすように配置されている。変更形態２は、角度によっては火煙の反力によって基部２が転倒しないように花火を設置面に固定することが必要となるが、前記一定角度の二等分線方向がハート形の正面になり、ハート形が基部２に対して水平方向にやや傾いて形成されることから、斜め上方向から花火を鑑賞できる。
【００６２】
この変更形態１、２のように、第１中心軸線Ｍ１と第２中心軸線Ｍ２の角度を適宜設定することにより、所定方向に限らずに、様々な角度からハート形の花火を鑑賞できる。
【００６３】
以上、本発明は上記実施形態に限定されるものではなく、本発明の技術的範囲に属する限り種々の形態を採り得るものである。また、本発明の技術的思想を逸脱しない範囲において、改変等を加えることができるものであり、それらの改変、均等物等も本発明の技術的範囲に含まれることとなる。例えば、第１筒３と第２筒４の２つの筒を用いたが、これらの筒に新たな筒を追加し、３以上の筒から玩具花火１を構成してもよい。基部２の構造は一例であって、当業者であれば、第１筒３、第２筒４を固定するための様々な固定構造を採用することができることは無論である。
【産業上の利用可能性】
【００６４】
本発明は、複数の筒から噴出する火煙がハート形の火煙を形成する鑑賞性に優れた玩具花火を提供できるもので、その工業的利用価値は大である。
【符号の説明】
【００６５】
１・・・玩具花火
２・・・基部
２０・・・上板
２０ａ・・・上板上面
２１・・・下板
２２・・・側板
２３・・・第１開口部
２４・・・第２開口部
２５・・・第３開口部
２６・・・第４開口部
３・・・第１筒
４・・・第２筒
５・・・導火線
６ａ、６ｂ・・・底止めパッキン
７ａ・・・第１火薬
７ｂ・・・第２火薬
８ａ、８ｂ・・・蓋
８ｃ、８ｄ・・・噴出口
９ａ、９ｂ・・・点火薬
３０・・・容器
３１・・・ケース
３２・・・扉
Ｌ１・・・第１距離
Ｌ２・・・第２距離
Ｌ３・・・第１筒及び第２筒の長さ
Ｍ１・・・第１中心軸線
Ｍ２・・・第２中心軸線
Ｃ１・・・第１噴出中心点
Ｃ２・・・第２噴出中心点
Ｒ１・・・第１筒及び第２筒の内径
Ｒ２・・・第１筒及び第２筒の外径
Ｓ・・・接着剤
θ・・・第１中心軸線Ｍ１と第２中心軸線Ｍ２とがなす角度
Ｘ・・・第１方向
Ｙ・・・第２方向
【図１】
2020016377.tif 000003
【図２】
2020016377.tif 000004
【図３】
2020016377.tif 000005
【図４】
2020016377.tif 000006
【図５】
2020016377.tif 000007
【図６】
2020016377.tif 000008
【図７】
2020016377.tif 000009
【図８】
2020016377.tif 000010
【図９】
2020016377.tif 000011